(57)【要約】【課題】監視システム等のアナログ信号を伝送する伝送システムにおいて、配線を簡素化して容易に設置可能であり、安価なアナログ信号の伝送システムを提供する。【解決手段】アナログ信号を発生する電子機器として監視カメラ１０と、監視カメラ１０のアナログ信号を受信する映像受信装置２０との間をＬＡＮケーブル３０で配線する。ＬＡＮケーブル３０を構成する電線の一部を監視カメラ１０のグランドに接続する。このように構成することで、電源に映像信号を重畳させることなく、ＬＡＮケーブル１本で映像信号の伝送と、監視カメラへの電源の供給とが可能となる。【選択図】図１
2012222408.tif 000002
【特許請求の範囲】
【請求項１】
アナログ信号を発生する電子機器と、前記アナログ信号を伝送するＬＡＮケーブルと、前記アナログ信号を受信する受信装置とを備えたアナログ信号の伝送システムであって、
前記ＬＡＮケーブルを構成する電線の一部が、前記電子機器のグランドに接続されることを特徴とするアナログ信号の伝送システム。
【請求項２】
前記電子機器は撮影装置であり、前記アナログ信号は映像信号であり、前記記録装置は映像受信装置であり、
前記電線は、前記映像信号と、前記撮影装置のグランドと、前記記録装置から供給される電源に接続されることを特徴とする請求項１に記載のアナログ信号の伝送システム。
【請求項３】
前記電線のうち、前記映像信号及び前記撮影装置のグランドに割り当てられる電線以外の全ての電線が前記グランドに接続されることを特徴とする請求項２に記載のアナログ信号の伝送システム。
【請求項４】
前記アナログ信号は、音声信号を含むことを特徴とする請求項１乃至請求項３のいずれか一項に記載のアナログ信号の伝送システム。
【請求項５】
監視カメラと、前記監視カメラによって撮影され生成される映像信号を伝送するＬＡＮケーブルと、前記ＬＡＮケーブルによって伝送された映像信号を受信する映像受信装置とを備えた監視システムであって、
前記ＬＡＮケーブルを構成する電線の一部が、前記監視カメラのグランドに接続されることを特徴とする監視システム。
【発明の詳細な説明】
【技術分野】
【０００１】
本発明は、アナログ信号の伝送システムに関し、特に監視カメラによって撮影された映像を映像受信装置に伝送する監視システムにおける映像信号の伝送システムに関する。
【背景技術】
【０００２】
ＣＣＤを撮像素子とするビデオカメラを利用した監視カメラを屋内外に設置し、監視カメラによって撮影された映像をモニタ等の映像受信装置に伝送する監視システムが用いられている。この監視システムでは、監視カメラで捉えた映像・音声信号をアナログ変換し、監視カメラと離れた場所に設置された映像受信装置に伝送して処理し、映像受信装置で記録するとともに表示部に映像を表示する構成であるため、有線を基本とする。このように、設置場所が無人であっても監視できることから、防犯や監視の目的だけでなく、人が立ち入れない場所の異常監視、ダム、河川、火山などの状況の監視・記録・計測にも使用される。
【０００３】
映像受信装置は、監視カメラと映像受信装置との間を同軸ケーブルによって接続されるものであり、配線の方法により、電源分離型と電源重畳型（ワンケーブルタイプ）の２種類がある（特許文献１、２参照）。電源分離型では、映像・音声信号を伝送する同軸ケーブルと、監視カメラに電源を供給する専用のケーブルの２本のケーブルによって配線する。電源重畳型では、監視カメラと映像受信装置との間を同軸ケーブル１本で配線し、映像受信装置は同軸ケーブルにより監視カメラに電源を供給すると同時に、監視カメラからの映像信号を分離受信し、監視カメラは映像受信装置から電源を受給し、映像信号をケーブル上に重畳する。電源重畳型の場合、カメラ側に電源工事が必要でないため、電源工事が削減できるというメリットがある。
【先行技術文献】
【特許文献】
【０００４】
【特許文献１】特開２０１１−６１３３１号公報
【特許文献２】特開２０１０−１１４８６７号公報
【発明の概要】
【発明が解決しようとする課題】
【０００５】
しかしながら、電源に映像信号を重畳させる場合、重畳回路や分離回路を、監視カメラや映像受信装置、又はこれらとは別に設ける必要がある。また、同軸ケーブルは値段が高い上、同軸ケーブルを用いた設置工事は、設置場所・カメラ台数・配線ケーブル長等の設置環境により変わるため、設置工事のための専門業者は限られる。
【０００６】
したがって、本発明は、配線を簡素化して容易に設置可能であり、安価なアナログ信号の伝送システムを提供することを課題とする。
【課題を解決するための手段】
【０００７】
本発明は上記課題を解決するためになされたものであり、本発明に係るアナログ信号の伝送システムは、アナログ信号を発生する電子機器と、アナログ信号を伝送するＬＡＮケーブルと、アナログ信号を受信する受信装置とを備え、ＬＡＮケーブルを構成する電線の一部が、電子機器のグランドに接続されることを特徴とする。一般に流通している安価なＬＡＮケーブルを用いることで、電力供給のためのケーブルや重畳回路や分離回路を用いることなく、かつ、配線を簡素化でき、安価なアナログ信号の伝送システムを提供することができる。
【０００８】
電子機器は撮影装置であり、アナログ信号は映像信号であり、記録装置は映像受信装置であり、電線は、映像信号と、撮影装置のグランドと、記録装置から供給される電源に接続される。
【０００９】
電線のうち、映像信号及び撮影装置のグランドに割り当てられる電線以外の全ての電線がグランドに接続される。
【００１０】
アナログ信号は、音声信号を含んでもかまわない。
【００１１】
本発明に係る監視システムは、監視カメラと、監視カメラによって撮影され生成される映像信号を伝送するＬＡＮケーブルと、ＬＡＮケーブルによって伝送された映像信号を受信する映像受信装置とを備え、ＬＡＮケーブルを構成する電線の一部が、監視カメラのグランドに接続されることを特徴とする。
【発明の効果】
【００１２】
本発明によれば、配線を簡素化し、安価なアナログ信号の伝送システムを提供することができる。
【図面の簡単な説明】
【００１３】
【図１】本発明の実施形態に係る監視カメラシステムを示す構成図である。
【図２】ＬＡＮケーブルにおけるピン配列を示す説明図である。
【図３】監視カメラのブロック図である。
【発明を実施するための形態】
【００１４】
以下、本発明の実施形態に係るアナログ信号の伝送システムについて、監視カメラシステムに適用した例を図面を参照して説明する。ここでは、監視カメラ１台と映像受信装置１台とを、１本のＬＡＮケーブルで結び監視する基本的なシステムを示す。
【００１５】
図１は、本発明における監視カメラシステムの構成図である。監視カメラシステムは、被写体を撮影する監視カメラ１０と、監視カメラ１０で得られた映像を受信して記録・表示する映像受信装置２０と、監視カメラ１０と映像受信装置２０とを接続するＬＡＮケーブル３０とを備える。
【００１６】
図１に示すように、映像受信装置２０は、記録部２１と、表示部２２と、電源部２３と、ＬＡＮケーブル３０のＬＡＮコンセントを差し込むためのレセプタクル(差込口)であるＬＡＮポート（図示せず）とを備える。映像受信装置２０は、ＬＡＮケーブル３０の映像信号ライン３１によって伝送された映像信号を受信し、記録映像を表示する表示部２２に出力すると同時に、映像信号を記録部２１に記録する。また、電源部２３は、ＬＡＮケーブル３０の電源ライン３２によって監視カメラ１０に電源を供給する。
【００１７】
ＬＡＮケーブル３０は、ツイストペアケーブル（図示せず）とＬＡＮコンセント（図示せず）を備える。ツイストペアケーブルは、現在パソコンへの接続で最も一般的に使用される４ペア８芯タイプを用いる。ツイストペアケーブルは、カテゴリ、単線／ヨリ線仕様、ＵＴＰ／ＳＴＰ等の種別があるが、本実施形態ではカテゴリが３以上であればいずれも使用可能である。例えば、カテゴリ５のツイストペアケーブル（例えば、フジクラ社製ＣＴＰ-ＬＡＮ５）を使用する。このツイストペアケーブルは、４対８芯ケーブルでＵＴＰであり、特性インピーダンスは１００±１５Ωである。
【００１８】
ＬＡＮケーブルには、通常、導体の配線方法によりストレートケーブルとクロスケーブルがあり、本実施形態ではストレートケーブルを用いるが、クロスケーブルであっても構わない。ＬＡＮケーブルの結線方法は、ペアの配置によりＴＩＡ／ＥＩＡ５６８ＡとＴＩＡ／ＥＩＡ５６８Ｂの２方式あるが、いずれも使用可能である。本実施形態では、一般的に多く使われるＴＩＡ／ＥＩＡ５６８Ｂの結線方法を採用する。
【００１９】
ツイストペアケーブルの両端には、８ピンのＬＡＮプラグ（情報通信用プラグ）が接続される。図２に、本発明の実施形態におけるピン配列を示す。このＬＡＮケーブルでは、例えば橙白／橙、緑白／緑、青／青白、茶白／茶がそれぞれツイストペアを構成する。通常のＴＩＡ／ＥＩＡ５６８Ｂの結線では、例えば１０ＢＡＳＥ−Ｔと１００ＢＢＡＳＥ−Ｔでは送信用に１ペア、受信用に１ペアの計２ペアのみが使用され、１０００ＢＢＡＳＥ−Ｔでは４ペア全てが使用される。本実施形態では、ＬＡＮプラグのピン４を映像信号、ピン７を監視カメラ用電源、残りのピン１〜３、５、６、８を基準電位（ＧＮＤ）に用いる。つまり、ＬＡＮプラグのピン４に映像信号ライン３１が接続され、ピン７に電源ライン３２が接続される。映像信号、監視カメラ用電源に必要なピン以外の残りの6本は、監視カメラ１０のグランド（図示せず）に接続される。なお、ＬＡＮプラグは、両方とも同一形状かつ同一ピン配列に構成する。
【００２０】
図３に監視カメラ１０のブロック図を示す。監視カメラ１０は、映像受信装置２０から電源が供給され、撮影素子としてのＣＣＤ１１と、映像信号処理回路１２と、Ｄ／Ａ変換回路１３と、ＣＣＤ駆動回路１４と、テレビ用同期信号発生回路１５と、ＬＡＮケーブル３０を差し込むためのＬＡＮポート（図示せず）とを備える。
【００２１】
ＣＣＤ１１は、ＣＣＤ駆動回路１４によって駆動し、レンズを通して得られた被写体の映像を結像させて映像信号として出力する。映像信号処理回路１２は、ＣＣＤ１１から出力された映像信号に対して所定の信号処理を施す。例えば、映像信号処理回路１２は、映像信号に対して相関二重サンプリング処理を行い、更にアナログ信号をデジタル信号に変換し、更に、歪み補正等の処理を施す。
【００２２】
Ｄ／Ａ変換回路１３は、映像信号処理回路１２によって処理された信号に対してテレビ用同期信号発生回路１５から出力されたテレビ用同期信号を付加し、ＮＴＳＣ等の所定の方式に準拠した映像信号を生成し、アナログテレビ信号に変換して出力する。Ｄ／Ａ変換回路１３から出力された映像信号は、増幅された後、７５Ωのインピーダンスで出力される。
【００２３】
なお、監視カメラ１０は、通常のデジタルカメラ程度の機能を有するものであれば撮像素子がＣＣＤに限られず、ＣＭＯＳや他の素子であっても構わない。また、撮影対象は、動画に限られず、静止画像も含むものとする。また、動画の場合には、音声の有無は問わない。
【００２４】
本発明の実施形態に係る監視カメラシステムでは、監視カメラ１０と映像受信装置２０との間をＬＡＮケーブル３０で配線したことにより、電源に映像信号を重畳させることなく、ＬＡＮケーブル１本で映像信号の伝送と、監視カメラへの電源の供給とが可能となる。また、ＬＡＮケーブルは同軸ケーブルと比べると約半分の価格であり、またインターネットの普及により容易に入手することができるため、安価でかつ容易にシステムを設置することが可能となる。更に、監視カメラ１０と映像受信装置２０それぞれに設けられたＬＡＮポートにＬＡＮケーブル３０のＬＡＮプラグを差し込むだけで配線が完了するため、設置工事が容易であり、配線工数の削減が可能となる。
【００２５】
本発明の実施形態に係る監視カメラシステムでは、上述したように、監視カメラ１０から出力される映像信号の特性インピーダンスは７５Ωであり、ＬＡＮケーブル３０の特性インピーダンスは１００±１５Ωである。このように特性インピーダンスに差があるが、ＬＡＮケーブル３０を構成する電線の一部を監視カメラ１０のグランドに接続して出力するインピーダンスを下げることにより、映像受信装置２０の表示部２２で表示される映像の劣化を抑える。また、ＬＡＮケーブル３０を構成する電線の一部を監視カメラ１０のグランドに接続することにより、反射による画質の劣化が小さい。
【００２６】
なお、電線の一部をグランドに接続する際は、監視カメラ１０の電源容量や特性インピーダンスによって適宜使用する本数を選択する。
【００２７】
また、上記したようにＬＡＮケーブルは通常ネットワーク接続に用いるため、本発明の実施形態に係る監視カメラシステムに用いるＬＡＮケーブルとは信号が異なる。このため、本発明の実施形態に係る監視カメラシステムに用いるＬＡＮケーブルをネットワークに接続しないように注意書きをする。
【００２８】
ここでは、監視カメラ１台とモニタをＬＡＮケーブルで結び監視するだけの基本的なシステムを示したが、複数台の監視カメラや複数の映像受信装置とを利用した監視システムにおいても、ＬＡＮケーブルで配線してシステムを構築することが可能である。また、アナログ信号の伝送であれば監視カメラの映像信号を伝送する監視カメラシステムに限らず使用可能であり、例えば、音声信号を伝送するようなインターホン、防犯機器、火災報知機等にも使用可能である。
【符号の説明】
【００２９】
１０  監視カメラ
１１  ＣＣＤ
１２  映像信号処理回路
１３  Ｄ／Ａ変換回路
１４  ＣＣＤ駆動回路
１５  テレビ用同期信号発生回路
２０  映像受信装置
２１  記録部
２２  表示部
２３  電源部
３０  ＬＡＮケーブル
３１  映像信号ライン
３２  電源ライン
【図１】
2012222408.tif 000003
【図２】
2012222408.tif 000004
【図３】
2012222408.tif 000005